(57)【特許請求の範囲】
【請求項１】
底壁とその周縁から立ち上る側壁を一体成形し、開口部外周に縁巻きを設けた紙容器において、前記縁巻き自体を陥没させ、前記縁巻きの断面形状を開度１８０度より大きい扇形とする陥没線条を前記縁巻きの長さ方向全長にわたって設け、前記縁巻きを二重の状態にしたことを特徴とする成形紙容器。
【請求項２】
前記陥没線条は、前記縁巻き自体の上方、側方または下方のいずれかに設けられた請求項１に記載の成形紙容器。
【発明の詳細な説明】
【０００１】
【発明の技術分野】
この発明は、紙容器、特にプレス成形によって作製した紙容器に関する。
【０００２】
【従来の技術】
この種の紙容器は、紙自体の保形性が良くないため、従来から浅いトレイ程度のものしか作れない問題があり、出来るだけ深い容器を形成するために、予め原紙に溝や折線を形成しておく方法が提案されている（例えばアメリカ特許３，０３３，４３４号公報、特公昭５６−４８３００号公報）。
【０００３】
さらに、保形性を高めるため、加湿、加熱を行なうなどの方法が採られている。
【０００４】
しかしこのような処理を施しても、形状安定性が低く、かつ変形し易い問題は解決されていない。勿論このような付加的処理はコストを高める要因である。
【０００５】
【発明の課題】
また、実公平６−６７７５号公報には、紙皿の撓み強度を向上するため、周壁に皺を吸収するリブを設けるのに加えて、紙皿の外周に縁巻きを設けることが開示されている。
【０００６】
しかしながら、このような縁巻きを設けても、縁巻き自体の径が小さく復元し易い形状であるため、それが巻き戻されるとフランジと変わらないものとなり、さほど補強効果をあげることができない。
【０００７】
そこで、この発明の課題は、復元性の極めて少ない縁巻きを紙容器に形成して保形性及び強度を向上させることにある。
【０００８】
【課題の解決手段】
上記の課題を解決するために、この発明は、底壁と側壁を一体成形し、開口部外周に縁巻きを設けた紙容器において、前記縁巻き自体を陥没させ、前記縁巻きの断面形状を開度１８０度より大きい扇形とする陥没線条を前記縁巻きの長さ方向全長にわたって設け、前記縁巻きを二重の状態にしたのである。
【０００９】
前記陥没線条は、前記縁巻き自体の上方、側方または下方のいずれかに設けることができる。
【００１０】
上記のように縁巻き自体に陥没線条を設けることにより、縁巻きの復元性（スプリングバック）が減少し保形性が増大する。
【００１１】
前記陥没線条の位置は、縁巻き自体を二重にするものであれば、上方、側方、下方のいずれでもよい。
【００１２】
【実施の形態】
以下、この発明の実施形態を添付図面に基づいて説明する。
【００１３】
図１及び図２に示すように、紙容器１０は、底壁１１と、その周縁から一体に立ち上る側壁１２から成り、側壁１２の上端開口部の外周には、フランジ１３が設けられ、フランジ１３の周縁には縁巻き１４が設けられている。
【００１４】
前記側壁１２には、成形時の皺を吸収するリブ１２ａ、１２ｂが放射方向に設けられている。リブ１２ａは、フランジ１３から底壁１１の近辺まで延びており、リブ１２ｂは、それより短く、側壁１２の中途部分で終っている。そして、リブ１２ａは、ほぼ等間隔に設けられ、リブ１２ｂは、隣接するリブ１２ａと１２ａの間に２本設けられている。勿論リブ１２ｂは１本であってもよい。即ち、長いリブ１２ａと短いリブ１２ｂが交互になる配置である。
また、前記底壁１１にも、リブ１１ａが形成されている。
【００１５】
前記縁巻き１４には、長さ方向全長にわたって陥没線条１４ａが形成されている。この線条１４ａは、図３に示すように、縁巻き１４の周方向の位置を問わない。例えば図３(イ) のように縁巻き１４の上方、図３(ロ) のように側方、図３(ハ) のように下方のいずれでもよい。図から明らかなように、縁巻き１４の断面形状は、開度１８０度より大きい扇形になっている。
【００１６】
前記線条１４ａを形成するには、例えば図４に示すように、容器１０をダイス２０で保持し、縁巻き１４と対応する円筒状のパンチ２１の下端のブレード２２で縁巻き１４をプレスする方法がある。また縁巻き１４を形成する際に、縁巻きの一部を坐屈させることによって線条１４ａを形成することもできる。縁巻きの形成は、図５に示すように、センタブロック３０とフォームパンチ３１によって底壁１１、側壁１２及びフランジ１３を成形し、次いで縁巻き用ダイス３２、３３を矢印方向に上昇させることにより、フランジ１３から延びるマージン１４ｂをダイス３２、３３内に導く。このときマージン１４ｂには、予め前記陥没線条１４ａを形成するのに充分な幅を持たせておく。即ち通常の円形縁巻きを形成するよりも広い幅にしておく。
【００１７】
紙容器１０の強度をさらに向上させるため、図６及び図７に示すように、底壁１１と側壁１２とが連続する屈曲部にまたがって、容器１０の外側に突出するエンボス１５を設ける。また、フランジ１３と側壁１２の屈曲部に、容器１０の内側方向に突出するエンボス１６を設けておく。これらのエンボス１５及び１６の形状、大きさ、間隔は、任意に選択可能であるが、大きさと間隔をほぼ同一にしてエンボス１５、１６によって形成された凹又は凸と、隣接するエンボス間の相対的な凸又は凹が交互に連続して均一な凹凸を形成しておくことができる。
【００１８】
また、側壁１２とフランジ１３との間に設けられたエンボス１６が、側壁１２の皺を吸収するためのリブ１２ａ又は１２ｂの全部又はいずれかを押圧して圧縮するようにしておけば、エンボスによる補強効果をさらに向上させることができる。図６中、符号１６ａは、そのようにしてリブ１２ｂの上端部分を圧潰したエンボスを示す。
【００１９】
なお、容器１０の平面形状は、図示の円形に限られず、楕円形、多角形など任意である。
【００２０】
【効果】
この発明によれば、以上のように、成形紙容器の縁巻きに陥没線条を形成したので、縁巻きにさらに折り目を設けた状態になって復元性を減少させ保形性が増大し、かつ二重に縁巻きを形成した状態にもなって、これが容器外周全体を取り巻いているため、容器の保形性及び強度を大きく向上させる。また、縁巻きに線条を設けることによって細工が複雑になった外観を呈し、美観を向上させる。
【００２１】
さらに、底壁と側壁及び側壁とフランジの屈曲部に凹凸を設けることによって強度をより向上させることができる。
【図面の簡単な説明】
【図１】この発明の紙容器の一例を示す縦断面図
【図２】同上の平面図
【図３】縁巻きの形状を示す断面図
【図４】陥没線条の形成方法を示す縦断面図
【図５】陥没線条の他の形成方法を示す縦断面図
【図６】紙容器の裏面図
【図７】同上の一部拡大縦断面図
【符号の説明】
１０  成形紙容器
１１  底壁
１１ａ  リブ
１２  側壁
１２ａ、１２ｂ  リブ
１３  フランジ
１４  縁巻き
１４ａ  陥没線条
１４ｂ  マージン
１５、１６、１６ａ  エンボス
２０  ダイス
２１  パンチ
２２  ブレード
３０  センタブロック
３１  フォームパンチ
３２、３３  ダイス
【図１】
0004086333.tif 000002
【図２】
0004086333.tif 000003
【図３】
0004086333.tif 000004
【図４】
0004086333.tif 000005
【図５】
0004086333.tif 000006
【図６】
0004086333.tif 000007
【図７】
0004086333.tif 000008